(57)【要約】【課題】簡単な構造でロスおよび部品点数を削減し、より安価で組み立てやすい分離型空気調和機の室外ユニットを提供する。【解決手段】Ｕ字形銅管１０ａ、フィン１０ｃにより構成され、Ｕ字形銅管１０ａの閉じた側に端板を有しない熱交換器１０と、熱交換器１０のＵ字形銅管１０ａと外箱左側板３を所定距離に保つ支持具１２と、Ｕ字形銅管１０ａの少なくとも外箱左側板３に面していないＵ字形の外径側に密着する銅管固定部１３ｂ及び銅管固定部１３ｂから外箱左側板３側に延設されたネジ固定部１３ａとを有する固定具１３を設け、Ｕ字形銅管１０ａを支持具１２と固定具１３にて挟持し、かつネジ固定部１３ａを外箱左側板３にネジ１１により固定することにより、熱交換器１０を一体に構成あうる端板が不要となり、簡単な構造でロスおよび部品点数を削減し、より安価で組み立てやすい分離型空気調和機の室外ユニットを提供できる。【選択図】図１
2006329464.tif 000002
【特許請求の範囲】
【請求項１】
Ｕ字形銅管の閉じた側に端板を有しない熱交換器と、前記熱交換器の前記Ｕ字形銅管と外箱を所定距離に保つ支持具と、前記Ｕ字形銅管の少なくとも前記外箱に面していないＵ字形の外径側に密着する銅管固定部及び前記銅管固定部から前記外箱側に延設されたネジ固定部とを有する固定具を設け、前記Ｕ字形銅管を前記支持具と前記固定具にて挟持し、かつ前記ネジ固定部を前記外箱にネジ等で固定した分離型空気調和機の室外ユニット。
【請求項２】
Ｕ字形銅管のＵ字形の内径側およびフィンに密着する銅管固定部と、前記Ｕ字形銅管のＵ字形の内側を通って前記銅管固定部から前記外箱側に延設されたネジ固定部とを有する固定具を設けた請求項１に記載の分離型空気調和機の室外ユニット。
【請求項３】
Ｕ字形銅管のＵ字形の内径側と外箱に面していない側並びに外径側の面に密着する銅管固定部と、前記Ｕ字形銅管のＵ字形の外径側を前記銅管固定部から前記外箱側に延設されたネジ固定部とを有する固定具を設けた請求項１に記載の分離型空気調和機の室外ユニット。
【請求項４】
熱交換器が複数列により構成される場合、外箱に対して最も近い列のＵ字形銅管と前記外箱を所定距離に保つ支持具と、前記熱交換器の各列の前記Ｕ字形銅管のＵ字形の内径側と外箱に面していない側並びに外径側の面に密着する銅管固定部と、前記Ｕ字形銅管のＵ字形の外径側を前記銅管固定部から前記外箱側に延設されたネジ固定部とを有する固定具を設け、前記Ｕ字形銅管を前記支持具と前記固定具にて挟持し、かつ前記ネジ固定部を前記外箱にネジ等で固定した分離型空気調和機の室外ユニット。
【発明の詳細な説明】
【技術分野】
【０００１】
本発明は、熱交換器端部に端板を有する分離型空気調和機の室外ユニットに関するものである。
【背景技術】
【０００２】
従来の分離型空気調和機の室外ユニットは、熱交換器をＵ字形銅管およびフィンに加えてフィンの両端に設けられた金属製端板を一体に構成し、金属製端板を外箱底板または外箱側板にネジ固定して構成されているものがあった（例えば、特許文献１参照）。
また熱交換器は空気調和機が必要とする熱交換能力により１列または複数列より構成され、Ｌ型もしくはＵ型に曲げて設置されることが多い。複数列より構成される場合には熱交換器の外側列と内側列の長さが異なるため、Ｕ字形銅管の閉じた側の端板は外側列と内側列が別々に設置されＬ型もしくはＵ型に曲げられた後にネジ固定されることや、外側列にのみ端板が設置されＬ型もしくはＵ型に曲げられた後に外側列のＵ字形銅管と内側列のＵ字形銅管を樹脂バンドで結束して構成されることがあった。
図７は、特許文献１に記載された従来の分離型空気調和機の室外ユニットの一部を省略した透視平面図で、図８は従来の分離型空気調和機の室外ユニットの一部を省略した斜視図である。
【０００３】
図７および図８において、室外ユニット１は外装に外箱底板２、外箱左側板３、外箱右側板４、外箱前板５、外箱天板（図示せず）を配設して、その内部に仕切り板６、送風機７、および圧縮機８を設置し、外箱底板２の後部および左側部に端板９ａ、９ｂおよび９ｃに挟持されたＬ型の熱交換器１０をネジ１１により固定して構成されていた。また熱交換器１０はＵ字形銅管１０ａおよび１０ｂ、フィン１０ｃおよび１０ｄを有している。
この構成により室外ユニットは内部の熱交換器を固定し、輸送や空調運転時に熱交換器を破損することなく保持することができた。
【特許文献１】実開平５−３８２２号公報
【発明の開示】
【発明が解決しようとする課題】
【０００４】
しかしながら、前記従来の構成では、熱交換器を固定するための端板を熱交換器製造時に組み込んでおく必要があり、組立や市場での補修時のネジ締め等によりこの端板部を破損した場合には熱交換器全体を交換しなければならずコストアップの要因になるという課題を有していた。
【０００５】
さらに熱交換器が複数列により構成される場合、それぞれの列を結合する部品が必要であり、また取り付け工数を要する等の課題を有していた。
【０００６】
本発明は前記従来の課題を解決するもので、簡単な構造で端板だけを交換可能としてロスを削減し、さらに部品点数を削減して、より安価で組み立てやすい分離型空気調和機の室外ユニットを提供することを目的とする。
【課題を解決するための手段】
【０００７】
前記従来の課題を解決するために、本発明の分離型空気調和機の室外ユニットは、熱交換器製造時には熱交換器のＵ字形銅管の閉じた側に端板を設けず、熱交換器のＵ字形銅管を支持具と固定具にて挟持し外箱にネジ等で固定して構成するものである。本構成によって、簡単な構造で端板だけを交換可能としてロスを削減し、さらに部品点数を削減して、より安価で組み立てやすい室外ユニットを実現することを目的とする。
【発明の効果】
【０００８】
本発明の分離型空気調和機の室外ユニットは、簡単な構造でロスおよび部品点数を削減し、より安価で組み立てやすい室外ユニットを実現することができる。
【発明を実施するための最良の形態】
【０００９】
第１の発明は、Ｕ字形銅管の閉じた側に端板を有しない熱交換器と、熱交換器のＵ字形銅管と外箱を所定距離に保つ支持具と、Ｕ字形銅管の少なくとも外箱に面していない外径側に密着する銅管固定部及び銅管固定部から外箱側に延設されたネジ固定部とを有する固定具を設け、Ｕ字形銅管を支持具と固定具にて挟持し、ネジ固定部を外箱にネジ等で固定して構成することにより、簡単な構造で熱交換器の固定具だけを交換可能としてロスを削減し、組立や市場での補修を容易にすることができる。
【００１０】
第２の発明は、特に、第１の発明の固定具は、Ｕ字形銅管のＵ字形の内径側およびフィンに密着する銅管固定部と、Ｕ字形銅管のＵ字形の内側を通って銅管固定部から外箱側に延設されたネジ固定部とからなり、熱交換器のＵ字形銅管を支持具と固定具にて挟持し外箱にネジ等で固定して構成することにより、簡単な構造で熱交換器の固定具だけを交換可能としてロスを削減し、組立や市場での補修を容易にすることができる。
【００１１】
第３の発明は、特に、第１の発明の固定具は、Ｕ字形銅管のＵ字形の内径側と外箱に面していない側並びに外径側の面に密着する銅管固定部と、Ｕ字形銅管のＵ字形の外径側を銅管固定部から外箱側に延設されたネジ固定部とからなり、熱交換器のＵ字形銅管を支持具と固定具にて挟持し外箱にネジ等で固定して構成することにより、簡単な構造で熱交換器の固定具だけを交換可能としてロスを削減し、組立や市場での補修を容易にすることができる。
【００１２】
第４の発明は、熱交換器が複数列により構成される場合、外箱に対して最も近い列のＵ字形銅管と外箱を所定距離に保つ支持具と、熱交換器の各列のＵ字形銅管のＵ字形の内径側と外箱に面していない側並びに外径側の面に密着する銅管固定部と、Ｕ字形銅管のＵ字形の外径側を銅管固定部から外箱側に延設されたネジ固定部とを有する固定具を設け、Ｕ字形銅管を支持具と固定具にて挟持し、ネジ固定部を外箱にネジ等で固定して構成することにより、簡単な構造で部品を追加することなく複数列の保持を実現し、さらに熱交換器の固定具だけを交換可能としてロスを削減し、組立や市場での補修を容易にすることができる。
【００１３】
以下、本発明の実施の形態について、図面を参照しながら説明する。なお、本実施の形態によって本発明が限定されるものではない。
【００１４】
（実施の形態１）
図１は、本発明の第１の実施の形態における分離型空気調和機の室外ユニットの一部を省略した斜視図で、図２は、熱交換器固定部の平断面図である。図１、図２および以下の実施の形態を示す図において、従来の技術の図７および図８と同じ構成要素については同じ符号を用い、説明を省略する。
【００１５】
図１および図２において、熱交換器１０はＵ字形銅管１０ａ、フィン１０ｃにより構成される。熱交換器１０のＵ字形銅管１０ａと外箱左側板３を所定距離に保つ支持具１２と、Ｕ字形銅管１０ａの外箱左側板３に面していないＵ字形の外径側、内径側並びにフィン１０ｃに密着する銅管固定部１３ｂとＵ字形銅管のＵ字形の内側を通って銅管固定部１３ｂから外箱左側板３側に延設されたネジ固定部１３ａとを有する固定具１３を設け、Ｕ字形銅管１０ａを支持具１２と固定具１３にて挟持し、ネジ固定部１３ａを外箱左側板３に
ネジ１１により固定されている。
【００１６】
以上のように構成された分離型空気調和機の室外ユニットにおいて、熱交換器１０は輸送や空調時の振動等により上下、左右および前後方向に力が加わり移動することが考えられるが、支持具１２および固定具１３にてＵ字形銅管を挟持することにより、上下、左右および前後方向に対して保持する事ができる。また市場等において支持具１２および固定具１３を破損した場合には、ネジ１１をはずして支持具１２および固定具１３のみを取り外し容易に交換することができる。
【００１７】
なお、本実施の形態の説明において支持具１２および固定具１３は各１個の場合を示したが、必要に応じて複数個を使用しても良い。
【００１８】
（実施の形態２）
図３は、本発明の第２の実施の形態における分離型空気調和機の室外ユニットの一部を省略した斜視図で、図４は、熱交換器固定部の平断面図である。
【００１９】
本実施の形態では、熱交換器１０のＵ字形銅管１０ａと外箱左側板３を所定距離に保つ支持具１２と、Ｕ字形銅管１０ａの内径側と外箱左側板３に面していない側並びに外径側の面に密着する銅管固定部１３ｂとＵ字形銅管１０ａのＵ字形の外径側を銅管固定部１３ｂから外箱左側板３側に延設されたネジ固定部１３ａとを有する固定具１３を設け、Ｕ字形銅管１０ａを支持具１２と固定具１３にて挟持し、かつ支持具１２と固定具１３は外箱左側板３にネジ１１により固定されている。
【００２０】
以上のように構成された分離型空気調和機の室外ユニットにおいて、熱交換器１０は、支持具１２および固定具１３にてＵ字形銅管を挟持することにより、上下、左右および前後方向に対して保持する事ができる。また市場等において支持具１２および固定具１３を破損した場合には、ネジ１１をはずして支持具１２および固定具１３のみを取り外し容易に交換することができる。
【００２１】
（実施の形態３）
図５は、本発明の第３の実施の形態における分離型空気調和機の室外ユニットの一部を省略した斜視図で、図６は、熱交換器固定部の平断面図である。
【００２２】
図５および図６において、熱交換器１０はＵ字形銅管１０ａおよび１０ｂ、複数列のフィン１０ｃおよび１０ｄにより構成される。
【００２３】
外箱左側板３と外箱左側板３に対して最も近い列のＵ字形銅管１０ａとを所定距離に保つ支持具１２と、熱交換器１０の各列のＵ字形銅管１０ａおよび１０ｂのＵ字形の内径側と外箱に面していない側並びに外径側の面に密着する銅管固定部１３ｂとＵ字形銅管１０ａおよび１０ｂのＵ字形の外径側を銅管固定部１３ｂから外箱左側板３側に延設されたネジ固定部１３ａとを有する固定具１３を設け、Ｕ字形銅管１０ａおよび１０ｂを支持具１２と固定具１３にて挟持し、かつ支持具１２と固定具１３は外箱左側板３にネジ１１により固定されている。
【００２４】
以上のように構成された分離型空気調和機の室外ユニットにおいて、熱交換器１０は、支持具１２および固定具１３にてＵ字形銅管を挟持することにより、上下、左右および前後方向に対して保持する事ができる。また市場等において支持具１２および固定具１３を破損した場合には、ネジ１１をはずして支持具１２および固定具１３のみを取り外し容易に交換することができる。
【００２５】
さらに熱交換器がＬ型もしくはＵ型の複数列で構成される場合、従来の構成では例えば外側列と内側列にそれぞれ金属製端板を設け曲げ加工の後にネジ固定する等、それぞれの列を結合するための部品が必要であったが、前記構成によれば熱交換器１０を曲げ加工した後に支持具１２および固定具１３を挿入固定できるので部品の追加なしに熱交換器１０を保持することが可能となる。
【産業上の利用可能性】
【００２６】
本発明は、Ｌ型もしくはＵ型に曲げて構成された熱交換器の固定を容易にすることが可能となるので、Ｌ型もしくはＵ型に構成された熱交換器を有する分離型空気調和機の室内機等の用途にも適用できる。
【図面の簡単な説明】
【００２７】
【図１】本発明の実施の形態１における分離型空気調和機の室外ユニットの一部を省略した斜視図
【図２】本発明の実施の形態１における熱交換器固定部の平断面図
【図３】本発明の実施の形態２における分離型空気調和機の室外ユニットの一部を省略した斜視図
【図４】本発明の実施の形態２における熱交換器固定部の平断面図
【図５】本発明の実施の形態３における分離型空気調和機の室外ユニットの一部を省略した斜視図
【図６】本発明の実施の形態３における熱交換器固定部の平断面図
【図７】従来の分離型空気調和機の室外ユニットの一部を省略した透視平面図
【図８】従来の分離型空気調和機の室外ユニットの一部を省略した斜視図
【符号の説明】
【００２８】
２  外箱底板
３  外箱左側板
９ａ、９ｂ、９ｃ  端板
１０  熱交換器
１０ａ、１０ｂ  Ｕ字形銅管
１０ｃ、１０ｄ  フィン
１１  ネジ
１２  支持具
１３  固定具
１３ａ  ネジ固定部
１３ｂ  銅管固定部
【図１】
2006329464.tif 000003
【図２】
2006329464.tif 000004
【図３】
2006329464.tif 000005
【図４】
2006329464.tif 000006
【図５】
2006329464.tif 000007
【図６】
2006329464.tif 000008
【図７】
2006329464.tif 000009
【図８】
2006329464.tif 000010